(57)【要約】【課題】法面に容易に敷設でき、法面の雑草等の生育を抑制でき、施工費用と施工期間を抑えた法面抑草コンクリート製品を提供する。【解決手段】法面抑草コンクリート製品１は、法面に固定される複数の基礎材１０と、基礎材１０の間に嵌める複数のパネル材２０、２１と、から構成され、基礎材１０は、突き出した状態に成形した突状部１１と、突状部１１の下部から水平方向に延設した延設部１２と、からなり、パネル材２０、２１の両側面、又は両側面と、底面の一部が突状部１１に当接し、パネル材２０、２１の裏面の一部が延設部１２に当接し、パネル材２０、２１の底面又は上面若しくはその両方が他のパネル材２０、２１の底面又は上面に当接して、基礎材１０とパネル材２０、２１が嵌合するように構成した。【選択図】図１
2019190076.tif 000002
【特許請求の範囲】
【請求項１】
法面に敷設して雑草を抑制するコンクリート製品であって、
法面に固定される複数の基礎材と、前記基礎材の間に嵌める複数のパネル材と、から構成され、
前記基礎材は、突き出した状態に成形した突状部と、該突状部の下部から水平方向に延設した延設部と、からなり、
前記パネル材の両側面、又は両側面と、底面の一部が前記突状部に当接し、前記パネル材の裏面の一部が前記延設部に当接し、前記パネル材の底面又は上面若しくはその両方が他の前記パネル材の底面又は上面に当接して、前記基礎材と前記パネル材が嵌合するように構成したことを特徴とする法面抑草コンクリート製品。
【請求項２】
請求項１に記載の法面抑草コンクリート製品であって、前記突状部はＴ字形に突き出した状態に成形したことを特徴とする法面抑草コンクリート製品。
【請求項３】
請求項１又は２に記載の法面抑草コンクリート製品であって、前記パネル材は、Ｌ字形又は平板形に成形したことを特徴とする法面抑草コンクリート製品。
【請求項４】
請求項１から３のいずれかに記載の法面抑草コンクリート製品であって、前記基礎材には、鉄筋挿通用の挿入孔を設けたことを特徴とする法面抑草コンクリート製品。
【請求項５】
請求項１から４のいずれかに記載の法面抑草コンクリート製品であって、前記パネル材の底面には、他の前記パネル材の上面が嵌る溝部を成形したことを特徴とする法面抑草コンクリート製品。
【発明の詳細な説明】
【技術分野】
【０００１】
本発明は、コンクリート製品に関し、詳しくは、法面の雑草等の生育を抑制するコンクリート製品に関する。
【背景技術】
【０００２】
従来、農地や水路の境界域である法面には雑草が生えやすいため、雑草取りや除草剤をまくなど、雑草対策に手間や費用がかかっていた。そこで、この法面に防草シートや砂利、ブロック等を被覆する防草目的の法面施工が多く行なわれている。しかし、防草シートや砂利を被覆する方法は耐久性の面で問題があり、定期的にメンテナンスが必要となる場合も多い。コンクリートを法面に直接打設する方法は、施工期間と施工費用がかかる。そこで、施工期間と施工費用をできるだけ抑え、耐久性を考慮した法面施工の技術が開発されている。
【０００３】
そのような法面施工の技術として、例えば特許文献１には、法肩抑草ブロックが開示されている。特許文献１の法肩抑草ブロックは、路肩部分に設置する平板状のコンクリート部材と、法肩部分に設置する平板状の粗粒多孔部材とから構成され、両者は先端部を当接した状態に一体成型するか、先端部同士を当接又は近接した状態で連結されている。それにより、法肩部分に、丈の低い草や苔のみが生えるようにして自然保護や景観を保護するとともに、草刈りなどの手入れが不要であるとされている。
【０００４】
また、特許文献２には、道路等の法面を除草し、法面に防草シートを貼着後、コンクリート製の敷石をシート上に敷設する法面施工方法が開示されている。この施工方法によると、施工された法面は防草シートと敷石との二重の防草機能に守られているため、防草効果が高く、長期の使用に耐えることができるとされている。
【先行技術文献】
【特許文献】
【０００５】
【特許文献１】特開２００１−７３３３５号公報
【特許文献２】特許第３１３２９４３号明細書
【発明の概要】
【発明が解決しようとする課題】
【０００６】
特許文献１の法肩抑草ブロックと特許文献２の法面施工方法はどちらも景観の保護を考慮しながら防草効果もあるが、コンクリート製品以外の部材も使用しているため、その分、施工費用がかかり、施工にも手間がかかる。大規模な法面施工が必要な場所等においては、できるだけ部品点数が少なく、簡単な施工で費用を抑えた法面施工の技術が必要とされている。特に、耐久性が高く、抑草効果もあるコンクリート製品が望まれる。
【０００７】
本発明は、上記課題に鑑み、法面に容易に敷設でき、法面の雑草等の生育を抑制するコンクリート製品を提供することを目的とする。
【課題を解決するための手段】
【０００８】
上記課題を解決するため、請求項１に記載の発明は、法面に敷設して雑草を抑制するコンクリート製品であって、法面に固定される複数の基礎材と、前記基礎材の間に嵌める複数のパネル材と、から構成され、前記基礎材は、突き出した状態に成形した突状部と、該突状部の下部から水平方向に延設した延設部と、からなり、前記パネル材の両側面、又は両側面と、底面の一部が前記突状部に当接し、前記パネル材の裏面の一部が前記延設部に当接し、前記パネル材の底面又は上面若しくはその両方が他の前記パネル材の底面又は上面に当接して、前記基礎材と前記パネル材が嵌合するように構成したことを特徴とする法面抑草コンクリート製品である。
請求項２に記載の発明は、請求項１に記載の法面抑草コンクリート製品であって、前記突状部はＴ字形に突き出した状態に成形したことを特徴とする。
請求項３に記載の発明は、請求項１又は２に記載の法面抑草コンクリート製品であって、前記パネル材は、Ｌ字形又は平板形に成形したことを特徴とする。
請求項４に記載の発明は、請求項１から３のいずれかに記載の法面抑草コンクリート製品であって、前記基礎材には、鉄筋挿通用の挿入孔を設けたことを特徴とする。
請求項５に記載の発明は、請求項１から４のいずれかに記載の法面抑草コンクリート製品であって、前記パネル材の底面には、他の前記パネル材の上面が嵌る溝部を成形したことを特徴とする。
【発明の効果】
【０００９】
本発明の法面抑草コンクリート製品によると、法面に容易に敷設でき、法面の雑草等の生育を抑制でき、従来に比べて施工費用と施工期間を抑えることができる。
【図面の簡単な説明】
【００１０】
【図１】本発明の一実施例である法面抑草コンクリート製品の使用態様を示す説明図である。
【図２】図１に示す法面抑草コンクリート製品の基礎材とパネル材の嵌合部をＡ方向から見た斜視図である。
【図３】本発明の一実施例である法面抑草コンクリート製品の基礎材の斜視図である。
【図４】本発明の一実施例である法面抑草コンクリート製品の基礎材の（Ａ）は平面図、（Ｂ）は側面図である。
【図５】図４に示す基礎材の（Ａ）は正面図、（Ｂ）は背面図、（Ｃ）は挿入する鉄筋の模式図である。
【図６】本発明の一実施例である法面抑草コンクリート製品の（Ａ）はＬ字形パネル材の斜視図、（Ｂ）は平板形パネル材の斜視図である。
【図７】図６（Ａ）に示すＬ字形パネル材の（Ａ）は正面図（表面）、（Ｂ）は底面図、（Ｃ）は側面図である。
【図８】図６（Ａ）に示すＬ字形パネル材の変形例を示す斜視図である。
【発明を実施するための形態】
【００１１】
以下、本発明の実施の形態（以下実施例と記す）を、図面に基づいて説明する。なお、
以下の図において、共通する部分には同一の符号を付しており、同一符号の部分に対して
重複した説明を省略する。
【００１２】
［法面抑草コンクリート製品の全体構成］
本発明の法面抑草コンクリート製品１の全体構成と使用態様について、図１、２を参照して説明する。図１は、本実施例に係る法面抑草コンクリート製品１の使用態様を示す説明図であり、水路に沿った法面に法面抑草コンクリート製品１を敷設した態様を示す。図２は、図１に示す法面抑草コンクリート製品の基礎材１０とパネル材２０、２１の嵌合部をＡ方向から見た斜視図である。法面抑草コンクリート製品１は、法面に固定される複数の基礎材１０と、基礎材１０に嵌める複数のパネル材２０、２１から構成される。基礎材１０の間にパネル材２０、２１を嵌めて構成するため、基礎材１０は２個以上必要である。
【００１３】
図１に示す例では、基礎材１０の間にパネル材２０、２１を上下に３枚重ねて嵌めて構成している。本実施例では、基礎材１０を１つ増やす毎にパネル材２０、２１を３枚増やし、これを繰り返すことで、水路等に沿って長手方向に広く法面抑草コンクリート製品１を敷設することができる。基礎材１０とパネル材２０、２１の枚数は図１、図２に示す例に限定されず、法面の傾斜角度や敷設する面積に応じて、適した枚数の基礎材１０とパネル材２０、２１が使用される。図１に示すように、コンクリート製品１は、固定した基礎材１０の間にパネル材２０、２１を嵌めて構成されるため、法面に生える雑草等に荷重をかけ、かつ光や雨水等を妨げることで、生育を抑制することができる。
【００１４】
パネル材２０、２１はコンクリート材からなるため、重量がある（例えば６０ｋｇ程度）。図１に示すようにパネル材２０、２１を重ねて基礎材１０に嵌めると、法面の傾斜角度にもよるが、一番下のパネル材２０、２１と基礎材１０に荷重がかかる。そのため、一対の基礎材１０の間に重ねるパネル材２０、２１は、大きさにもよるが２枚〜５枚が望ましい。
【００１５】
詳細は後述するが、本実施例のパネル材にはＬ字形パネル材２０と平板形パネル材２１があり、どちらか一方を使用してもよいが、それらを組み合わせて使用してもよい。図１、図２に示す例では、下から１段目に平板形パネル材２１を使用し、２段目と３段目にＬ字形パネル材２０を使用している。Ｌ字形パネル材２０を使用することで、斜面に沿って階段が形成されるため、法面の登り（又は下り）を楽にすることができる。
【００１６】
［基礎材］
次に基礎材１０について、図３〜図５を参照して説明する。図３は、本実施例の基礎材１０の斜視図であり、図４（Ａ）と（Ｂ）は、それぞれ基礎材１０の平面図と側面図である。また、図５（Ａ）と（Ｂ）は、基礎材１０の正面図と背面図であり、図５（Ｃ）は、基礎材１０に挿入する鉄筋の模式図である。
【００１７】
図３に示すように、本実施例の基礎材１０は、Ｔ字形に突き出した状態に成形した突状部１１と、突状部１１の下部（下面）から水平方向に延設した延設部１２（突状部１１以外の部分）とから構成されている。基礎材１０を固定する際には、突状部１１の横部分１１ａが下方に位置するように突状部１１を逆Ｔ字形に上向きに設置する。突状部１１の形状は、Ｔ字形に限定されず、いかなる形状でもよいが、パネル材２０、２１の側面又は側面と底面が当接し、嵌合できる形状であることが必要である。
【００１８】
図１に示すように、突状部１１の縦部分１１ｂの両側の延設部１２にパネル材２０、２１を載せるが、一番左端又は右端に固定される基礎材１０には片側の延設部１２にのみパネル材２０、２１が載せられ、もう片側の延設部１２には何も載せられていない（図２参照）。このような構成とすることで、法面抑草コンクリート製品１を左右方向（水路等に沿って長手方向）に延長させたい場合には、新たに基礎材１０を固定し、パネル材２０、２１を載せることで容易に延長させることができる。延長させる必要がない場合には、一番左端又は右端に固定される基礎材１０には、突状部１１の片側の延設部１２のみ形成するように、Ｌ字形（又は左右反転したＬ字形）の突状部１１を有する基礎材１０を使用することもできる（図示せず）。
【００１９】
基礎材１０には、砂利、砂、セメント、水などからなる一般的なコンクリートや、レジンコンクリートを使用することができる。また、大雨や洪水等による劣化を防止するために、コンクリートに防水材を混入してもよい。防水材を混入することで、高い防水性、防湿性が得られる。基礎材１０の製造は、一般的なコンクリート製品を製造する工程と同様に、Ｔ字形に突き出した突状部を有する型枠に鉄筋（インサート）を入れ、コンクリート材を流し込み、撹拌してボイラー蒸気養成（固化）した後、型枠より脱型して製造する。さらに、製造した基礎材１０の外面に、コンクリート用の防水塗料を塗ってもよい。それにより、外面に防水層を作り、撥水性で吸水を防ぐことができ、カビの発生などを抑制することができる。
【００２０】
基礎材１０の寸法や形状は、特に限定されるものではないが、例えば図４に示すように延設部１２の縦幅（長手方向）を１５５０ｍｍ、横幅（短手方向）を１５０〜１６０ｍｍ、高さ（厚み）を５０ｍｍとすることができる。Ｔ字形の突状部１１の寸法は、縦部分１１ｂの縦幅を１５００ｍｍ、横幅を４５〜６０ｍｍ、高さ（厚み）を６０ｍｍとすることができ、横部分１１ａの縦幅（長手方向）を１５０〜１３８ｍｍ、横幅（短手方向）を４５〜５０ｍｍ、高さ（厚み）を６０ｍｍとすることができる。突状部１１は、図５（Ａ）正面図と（Ｂ）背面図に示すように略台形である。延設部１２の横幅は、底面（１６０ｍｍ）よりも上面（１５０ｍｍ）の方が短くなっている。突状部１１ｂの横幅も底面（６０ｍｍ）よりも上面（５０ｍｍ）の方が短く、突状部１１ａの横幅も底面（５０ｍｍ）よりも上面（４５ｍｍ）の方が短く、縦幅も底面（１５０ｍｍ）よりも上面（１３８ｍｍ）の方が短くなっている。このような構成とすることで、パネル材２０、２１を設置しやすくなる。なお、基礎材１０の重量は４０ｋｇ程度である。
【００２１】
図４、図５に示すように基礎材１０の突状部１１と延設部１２には、鉄筋挿通用の挿入孔１３を設けることができる。なお、図３では挿入孔１３の図示を省略している。挿入孔１３を設けることで、鉄筋１３１を容易に挿入でき、鉄筋１３１により基礎材１０を法面の地面に強固に固定することができる。基礎材１０に鉄筋挿通用の挿入孔１３を設けることは、本発明の必須の構成要件ではなく、挿入孔１３を設けずに別の手段（鉄筋インサート等）を用いて基礎材１０を地面に固定してもよい。本実施例では、図４（Ａ）、（Ｂ）に示すように基礎材１０の縦部分に挿入孔１３を２箇所、配設している。挿入孔１３はいくつ配設してもよい。
【００２２】
図５（Ｃ）に示すように鉄筋１３１は、コンクリートで覆った部分１３０（コンクリート部分）を設け、その部分が基礎材１０の挿入孔１３を塞ぐように成形されている。鉄筋１３１の寸法は、例えば直径を９ｍｍ、長さを２５０ｍｍとすることができる。本実施例では基礎材１０の厚みが１１０ｍｍであることから、鉄筋１３１を挿通すると、地面に１４０ｍｍ程度、鉄筋を埋め込むことができる。
【００２３】
［パネル材］
パネル材２０、２１について、図６〜図８を参照して説明する。図６（Ａ）はＬ字形パネル材２０の斜視図、図６（Ｂ）は平板形パネル材２１の斜視図である。また、図７（Ａ）、（Ｂ）、（Ｃ）は、それぞれＬ字形パネル材２０の正面図（表面）、底面図、側面図である。図８は、Ｌ字形パネル材２０の変形例を示す斜視図である。
【００２４】
法面抑草コンクリート製品１のパネル材は、本実施例ではＬ字形パネル材２０又は平板形パネル材２１を使用する。パネル材の形状は、これらに限定されず、板状であればいかなる形状でもよい。例えば、Ｌ字形パネル材２０に段がもう１つ付いた断面Ｆ字形のパネル材でもよいし、段が２つ付いた断面Ｅ字形のパネル材でもよい。
【００２５】
本実施例ではＬ字形パネル材２０と平板形パネル材２１を、図１、２のように組み合わせて使用するが、どちらか一方を使用してもよい。図６（Ａ）に示すように、本実施例のＬ字形パネル材２０は、その底部の長手方向に成形した突状部２０ａと、突状部２０ａの下部（下面）から水平方向に延設した延設部２０ｂ（突状部２０ａ以外の部分）からなる。Ｌ字形パネル材２０を基礎材１０に設置する際には、突状部２０ａが下方に位置するように（図６（Ａ）参照）、突状部２０ａを上向きに設置する。図６（Ｂ）の平板形パネル材２１は、Ｌ字形パネル材２０から突状部２０ａを取り除いた形状であり、図に示すように平板状の直方体である。
【００２６】
パネル材２０、２１の材質には基礎材１０と同様に、一般的なコンクリートや、レジンコンクリートを使用することができる。また、コンクリートに防水材を混入してもよいし、パネル材２０、２１の外面に、コンクリート用の防水塗料を塗ってもよい。パネル材２０、２１を製造する工程も、型枠以外は基礎材１０と同様であるため、説明を省略する。
【００２７】
Ｌ字形パネル材２０の寸法は、特に限定されるものではないが、例えば図７に示すように、延設部２０ｂの縦幅（長手方向）を１４８０ｍｍ、横幅（短手方向）を２９８ｍｍ、高さ（厚み）を５０ｍｍとすることができる。突状部２０ａの寸法は、縦幅を１４８０ｍｍ、横幅を４５〜５０ｍｍ、高さ（厚み）を５０ｍｍとすることができる。図７（Ａ）、（Ｃ）に示すように、基礎材１０と同様に、突状部２０ａの横幅においても底面（５０ｍｍ）よりも上面（４５ｍｍ）の方が短くなっている。このような構成とすることで、Ｌ字形パネル材２０によって形成される階段の登り（下り）が容易になる。なお、平板形パネル材２１の寸法は、突状部２０ａを除いたＬ字形パネル材２０の寸法（延設部２０ｂの寸法）と同様である。また、パネル材の形状が平板形又はＬ字形以外の形状である場合（例えば断面Ｅ字形、Ｆ字形）についても、Ｌ字形パネル材２０の寸法と同様な寸法とする。
【００２８】
次にＬ字形パネル材２０の変形例について図８を参照して説明する。図８に示すように、Ｌ字形パネル材２０の底面の長手方向には、他のパネル材２０又は２１の上面が嵌る溝部２０ｃが成形されている。溝部２０ｃの寸法は、パネル材２０又は２１の上面が嵌るように、例えば縦幅を１４８０ｍｍ、横幅を１０〜３０ｍｍ、高さ（厚み）を５０ｍｍ（パネル材２０又は２１の上面の厚み）とすることができる。このように溝部２０ｃを設けることで、Ｌ字形パネル材２０の底面に他のパネル材２０又は２１の上面が嵌り、パネル材２０又は２１を安定して設置することができる。なお、溝部はＬ字形パネル材２０に限定されず、他の形状のパネル材にも同様に成形することができる。
【００２９】
［法面抑草コンクリート製品１の敷設方法］
図１、２に示すような法面抑草コンクリート製品１の敷設方法について説明する。本発明の法面抑草コンクリート製品１は、雑草等が大きく成長するような生育は抑制するが、草の発芽やある程度の生育を完全に妨げるものではないため、敷設する前に法面の除草を行なうことが好ましい。その際、必要に応じて除草剤や除草シート等を敷いてもよい。
【００３０】
法面抑草コンクリート製品１には、まず基礎材１０を法面の地面に固定する。前述のように、本実施例では基礎材１０に鉄筋挿通用の挿入孔１３が設けられているため、その挿入孔１３に鉄筋１３１を挿通し、地面に挿入することで基礎材１０を地面に固定できる。別の手段で基礎材１０を地面に固定してもよい。一対の基礎材１０の間にパネル材２０、２１を嵌め込むため、複数の基礎材１０はパネル材２０、２１の縦寸法の間隔で地面に固定する。法面の傾斜角度や敷設する面積に応じて、適した枚数の基礎材１０を固定する。
【００３１】
基礎材１０を固定した後、まず一番下のパネル材を基礎材１０の間に嵌めこむ。本実施例では、一番下に平板形パネル材２１を使用する。図６（Ｂ）の斜視図に示す平板形パネル材２１の左右の両側面を基礎材１０の突状部１１の縦部分１１ｂに当接させる。このとき、平板形パネル材２１の左右の両側面の一部、又は側面を構成する一辺のみを当接させてもよい。また、平板形パネル材２１の底面の一部（左右の端）を突状部１１の横部分１１ａに当接させる。同様に、平板形パネル材２１の底面を構成する一辺のみを当接させてもよい。さらに、平板形パネル材２１の裏面の一部（左右の端）を延設部１２に当接させて、基礎材１０と平板形パネル材２１を嵌合させる。
【００３２】
次に２段目と３段目のパネル材を基礎材１０の間に嵌めこむ。本実施例では、２段目と３段目にＬ字形パネル材２０を使用している。前述のようにＬ字形パネル材２０を使用することで、斜面に沿って階段を形成することができるが、階段を形成する必要がない場合には、平板形パネル材２１を使用してもよい。平板形パネル材２１と同様に、図６（Ａ）の斜視図に示すＬ字形パネル材２０の左右の両側面を基礎材１０の突状部１１の縦部分１１ｂに当接させ、裏面の一部（左右の端）を延設部１２に当接させて、底面を１段目の平板形パネル材２１の上面に載せて（当接させて）、基礎材１０とＬ字形パネル材２０を嵌合させる。なお、Ｌ字形パネル材２０の裏面とは、突状部２０ａのある面と反対側の面である。３段目のＬ字形パネル材２０についても同様にして、基礎材１０に嵌合させる。
【００３３】
従って、１番目の平板形パネル材２１の上面は２番目のＬ字形パネル材２０の下面に当接し、２番目のＬ字形パネル材２０の下面と上面は、それぞれ１番目の平板形パネル材２１と３番目のＬ字形パネル材２０に当接し、３番目のＬ字形パネル材２０の下面は２番目のＬ字形パネル材２０に当接した状態で、基礎材１０に嵌っている。パネル材２０、２１は充分な重量（例えば１枚、６０ｋｇ程度）があるため、その荷重により、法面上のパネル材２０、２１どうしが固定される。特に図８に示すようにＬ字形パネル材２０に溝部２０ｃが成形されている場合には、しっかりと固定される。なお、法面の傾斜角度が緩やかな場合又は急な場合など、必要に応じてパネル材２０、２１どうし又は基礎材１０とパネル材２０、２１を固定する固定手段を設けてもよい。
【００３４】
このように、複数のパネル材２０、２１を固定した基礎材１０の間に嵌める作業を繰り返すことで、法面抑草コンクリート製品１を法面に敷設することができる。基礎材１０とパネル材２０、２１は人が運べる重量で製造されているため、重機を使用せずに人力で敷設することができる。
【００３５】
以上説明してきたように、本発明の法面抑草コンクリート製品は、法面に生える雑草等に荷重をかけ、かつ光や雨水等を妨げることで、雑草の生育を抑制することができる。また、施工の際に法面にコンクリートを直接打設する必要がなく、基礎材を固定してパネル材を嵌めるだけで容易に敷設できるため、従来と比べて施工費用と施工期間を抑えることができる。さらに、Ｌ字形パネル材を使用することで、斜面に沿って階段が形成されるため、法面の登り（又は下り）を楽にすることができる。さらに、本製品はコンクリート材であるため、雑草へのたばこの投げ捨てなどによる火災の発生を防止することができる。
【００３６】
なお、上述した実施例の法面抑草コンクリート製品は一例であり、その構成は、発明の趣旨を逸脱しない範囲で、適宜変更可能である。
【符号の説明】
【００３７】
１…法面抑草コンクリート製品、１０…基礎材、１１…基礎材の突状部、１１ａ…突状部の横部分、１１ｂ…突状部の縦部分、１２…基礎材の延設部、１３…挿入孔、２０…Ｌ字形パネル材、２０ａ…Ｌ字形パネル材の突状部、２０ｂ…Ｌ字形パネル材の延設部、２１…平板形パネル材、１３０…コンクリート部分、１３１…鉄筋。
【図１】
2019190076.tif 000003
【図２】
2019190076.tif 000004
【図３】
2019190076.tif 000005
【図４】
2019190076.tif 000006
【図５】
2019190076.tif 000007
【図６】
2019190076.tif 000008
【図７】
2019190076.tif 000009
【図８】
2019190076.tif 000010